(57)【要約】      （修正有）【課題】安定性が高く、干渉耐性が高く、測定精度が高い高精度の血糖測定器を提供する。【解決手段】電気化学的センサー分野に関し、具体的に高精度の血糖測定器１００は、ケース１１０と、ケース１１０の先端に開設されるサンプル入口１２０と、ケース１１０の内部に設置され且つサンプル入口１２０と連通する電気化学反応槽と、電気化学反応槽の内部に位置する電解液及び電極と、ケース１１０の表面に嵌設されるディスプレイ１４０及びキー１５０と、を備え、ケース１１０の内部に設置される制御システム及び電池を更に備え、前記制御システムが電池、電極、ディスプレイ１４０及びキー１５０に接続され、ケース１１０は外部から内部まで順に保護層、電磁波吸収層、電磁波遮蔽層及びプラスチック基層を含む。【選択図】図１
0003217246.tif 000002
【実用新案登録請求の範囲】
【請求項１】
高精度の血糖測定器であって、
ケースと、ケースの先端に開設されるサンプル入口と、ケースの内部に設置され且つサンプル入口と連通する電気化学反応槽と、電気化学反応槽の内部に位置する電解液及び電極と、ケースの表面に嵌設されるディスプレイ及びキーと、を備え、
ケースの内部に設置される制御システム及び電池を更に備え、
前記制御システムが電池、電極、ディスプレイ及びキーに接続され、前記ケースが外部から内部まで順に保護層、電磁波吸収層、電磁波遮蔽層及びプラスチック基層を含むことを特徴とする高精度の血糖測定器。
【請求項２】
前記電磁波遮蔽層は経緯状に織り交ぜてなる経糸銀繊維及び緯糸銀繊維を含み、前記経糸銀繊維のピークが緯糸銀繊維のトラフと交差し、前記経糸銀繊維のトラフが緯糸銀繊維のピークと交差し、前記経糸銀繊維及び緯糸銀繊維がいずれも波紋状となり、前記電磁波吸収層の遮蔽層寄り片側の表面に複数の凹凸模様が平行に設置され、吸収層内に電磁波を吸収するための複数種の複合粒子が充填されることを特徴とする請求項１に記載の高精度の血糖測定器。
【請求項３】
前記ケースの側壁に放熱孔が開設され、前記電気化学反応槽内にアルカリ性電解液及びＮａｆｉｏｎ／ＺｎＯ／ＧＯ／ＧＣＥ電極が設けられることを特徴とする請求項２に記載の高精度の血糖測定器。
【考案の詳細な説明】
【技術分野】
【０００１】
本考案は電気化学的センサー分野に関し、特に高精度の血糖測定器に関する。
【背景技術】
【０００２】
健常者の体内の膵臓は人体血液中のブドウ糖含有量の変化を自動的に監視し、必要なインシュリンを自動的に分泌することができるが、糖尿病患者は体内で体に必要なインシュリンを通常分泌することができず、体の膵臓機能に異常があるため、糖尿病は体の膵臓機能の異常による代謝性疾患であり、糖尿病は生涯にわたる病気である。従来の医療技術で糖尿病を根治できず、血糖を安定化することにより糖尿病及びその併発症の発病及び悪化を制御するしかなく、主に糖尿病患者への教育、自分による血糖の監視、食事療法、運動療法及び薬物療法の５つの態様を含む。
【０００３】
糖尿病患者にとって、血糖濃度の正確な測定が非常に重要であり、従来技術において常に血糖測定器によって血糖濃度を測定するが、血糖測定器が電気化学的原理を用いる場合が多い。しかしながら、従来技術は、外部環境には複数種の電磁場が存在するため、血糖測定器の内部電極の動作に干渉し、更に測定精度に悪影響を与える一方で、血糖測定器の内部の電極は安定性が低く、所定期間使用した後、電極材料自体が脱落するといった原因で、血糖の測定が正確ではないという欠点を有する。
【考案の概要】
【考案が解決しようとする課題】
【０００４】
上記問題を解決するために、本考案は安定性が高く、干渉耐性が高く、測定精度が高い高精度の血糖測定器を提供する。
【課題を解決するための手段】
【０００５】
本考案に用いた技術的解決手段は以下のとおりである。
【０００６】
高精度の血糖測定器であって、ケースと、ケースの先端に開設されるサンプル入口と、ケースの内部に設置され且つサンプル入口と連通する電気化学反応槽と、電気化学反応槽の内部に位置する電解液及び電極と、ケースの表面に嵌設されるディスプレイ及びキーと、を備え、ケースの内部に設置される制御システム及び電池を更に備え、前記制御システムが電池、電極、ディスプレイ及びキーに接続され、前記ケースは外部から内部まで順に保護層、電磁波吸収層、電磁波遮蔽層及びプラスチック基層を含む。
【０００７】
上記技術的解決手段のさらなる改良は、前記電磁波遮蔽層は経緯状に織り交ぜてなる経糸銀繊維及び緯糸銀繊維を含み、前記経糸銀繊維のピークが緯糸銀繊維のトラフと交差し、前記経糸銀繊維のトラフが緯糸銀繊維のピークと交差することである。
【０００８】
上記技術的解決手段のさらなる改良は、前記経糸銀繊維及び緯糸銀繊維がいずれも波紋状となることである。
【０００９】
上記技術的解決手段のさらなる改良は、前記電磁波吸収層の遮蔽層寄り片側の表面に複数の凹凸模様が平行に設置され、吸収層内に電磁波を吸収するための複数種の複合粒子が充填されることである。
【００１０】
上記技術的解決手段のさらなる改良は、前記ケースの側壁に放熱孔が開設されることである。
【００１１】
上記技術的解決手段のさらなる改良は、前記電気化学反応槽内にアルカリ性電解液及びＮａｆｉｏｎ／ＺｎＯ／ＧＯ／ＧＣＥ電極が設けられることである。
【考案の効果】
【００１２】
本考案の有益な効果は以下のとおりである。
【００１３】
１、キーで血糖測定器を起動し、サンプルをサンプル入口からケースの内部の電気化学反応槽に加え、電気化学反応槽の内部で、電解液が存在する条件において、電極でサンプル内のブドウ糖に触媒作用を及ぼして酸化反応を生じさせ、制御システムがブドウ糖酸化生成物の濃度を検出し、それを電気信号に変換して血糖濃度としてディスプレイに表示する。一方では、本考案における血糖測定原理は電極でブドウ糖に触媒作用を及ぼして酸化反応を生じさせることであり、このような反応はサンプル内の他の物質に干渉されないため、測定精度が高い。他方では、ケースは外部から内部まで順に保護層、電磁波吸収層、電磁波遮蔽層及びプラスチック基層を含み、外部電磁波がまず電磁波吸収層に吸収され、吸収されていない部分が電磁波遮蔽層に遮蔽され、電磁波がケースの内部に入って、制御システムの実行に干渉することを避け、測定精度を更に向上させる。
【００１４】
２、電磁波遮蔽層は経緯状に織り交ぜてなる経糸銀繊維及び緯糸銀繊維を含み、前記経糸銀繊維のピークが緯糸銀繊維のトラフと交差し、前記経糸銀繊維のトラフが緯糸銀繊維のピークと交差し、銀繊維を用いると、電磁波を効率よく遮蔽することができ、経糸銀繊維及び緯糸銀繊維を経緯状に織り交ぜることで、銀繊維の表面積を増加させ、銀繊維を電磁波に十分に接触させ、遮蔽層の干渉耐性を更に強化し、外部電磁波がケースの内部の信号に干渉することを防止し、入力出力信号の安定性・信頼性を確保し、本考案の干渉耐性及び測定精度を更に向上させる。
【００１５】
３、経糸銀繊維及び緯糸銀繊維がいずれも波紋状となり、直線状の経糸銀繊維及び緯糸銀繊維に対して、波紋状構造によって銀繊維の表面積を増加させ、銀繊維を電磁波に十分に接触させ、遮蔽層の干渉耐性を更に強化し、外部電磁波がケースの内部の信号に干渉することを防止し、入力出力信号の安定性・信頼性を確保し、本考案の干渉耐性及び測定精度を更に向上させる。
【００１６】
４、電磁波吸収層の遮蔽層寄り片側の表面に複数の凹凸模様が平行に設置され、凹凸模様の作用はその上に投射した電磁波を凹凸模様の凹部で複数回反射し、それにより吸収層の電磁波への吸収効率を向上させ、電磁波が吸収層の内部に入ることを防止し、吸収層の干渉耐性を更に強化し、外部電磁波がマウス本体の信号に干渉することを防止し、入力出力信号の安定性・信頼性を確保し、本考案の干渉耐性及び測定精度を更に向上させることである。吸収層内に電磁波を吸収するための複数種の複合粒子が充填され、環境において電磁波には複数種の波長があるため、複数種の複合粒子を設置することで、異なる波長の電磁波を吸収し、電磁波がマウス本体の内部に入ることを防止し、外部電磁波がケースの内部の信号に干渉することを防止し、入力出力信号の安定性・信頼性を確保し、本考案の干渉耐性及び測定精度を更に向上させる。
【００１７】
５、ケースの側壁に放熱孔が開設され、放熱孔から内部電極及び制御システム、電池が動作時に生じた熱を適時に排出し、それによりケースの内部温度の上昇に起因して電気化学反応槽内の電解液及び電極に干渉することを防止し、測定精度を更に向上させる。
【００１８】
６、電気化学反応槽内にアルカリ性電解液及びＮａｆｉｏｎ／ＺｎＯ／ＧＯ／ＧＣＥ電極が設けられ、一般的に、炭水化物は遷移金属酸化物でアルカリ性条件においてより良い電気化学反応が生じるため、従ってＺｎＯ／ＧＯ／ＧＣＥ電極はアルカリ性条件においてブドウ糖に触媒作用を及ぼして酸化反応を効率よく生じさせることができ、それにより血糖濃度の測定を実現し、その理由はＺｎＯ／ＧＯ／ＧＣＥ電極がナノ酸化亜鉛（ＺｎＯ）及びグラフェン（ＧＯ）の二重の利点を結合するためであり、この２種の物質を含有するガラス状炭素電極（ＧＣＥ）で血糖を測定する時に直接、迅速で他の物質に干渉されにくく、測定精度が高いと同時に、ＮａｆｉｏｎがＺｎＯ／ＧＯ複合材料に対して固定作用を果たし、それによりＺｎＯ／ＧＯ複合材料が電極の表面から脱落することを防止し、このため、所定期間放置しても、血糖濃度を正確に測定でき、安定性が高く、測定精度が高い。
【図面の簡単な説明】
【００１９】
【図１】図１は本考案の斜視図である。
【図２】図２は本考案の別の視角の斜視図である。
【図３】図３は本考案のケースの横断面模式図である。
【図４】図４は本考案の電磁波遮蔽層の構造模式図である。
【図５】図５は本考案の動作原理図である。
【考案を実施するための形態】
【００２０】
以下、図面を参照しながら本考案を更に説明する。
【００２１】
図１〜図５はそれぞれ本考案の異なる視角の斜視図、ケースの横断面模式図、電磁波遮蔽層の構造模式図及び動作原理図である。
【００２２】
高精度の血糖測定器１００であって、ケース１１０と、ケース１１０の先端に開設されるサンプル入口１２０と、ケース１１０の内部に設置され且つサンプル入口１２０と連通する電気化学反応槽と、電気化学反応槽の内部に位置する電解液及び電極１３０と、ケース１１０の表面に嵌設されるディスプレイ１４０及びキー１５０と、を備え、ケース１１０の内部に設置される制御システム１６０及び電池１７０を更に備え、前記制御システム１６０が電池１７０、電極１３０、ディスプレイ１４０及びキー１５０に接続され、前記ケース１１０は外部から内部まで順に保護層１１１、電磁波吸収層１１２、電磁波遮蔽層１１３及びプラスチック基層１１４を含む。
【００２３】
電磁波遮蔽層１１３は経緯状に織り交ぜてなる経糸銀繊維１１３ａ及び緯糸銀繊維１１３ｂを含み、前記経糸銀繊維１１３ａのピークが緯糸銀繊維１１３ｂのトラフと交差し、前記経糸銀繊維１１３ａのトラフが緯糸銀繊維１１３ｂのピークと交差し、銀繊維を用いると、電磁波を効率よく遮蔽することができ、経糸銀繊維１１３ａ及び緯糸銀繊維１１３ｂを経緯状に織り交ぜることで、銀繊維の表面積を増加させ、銀繊維を電磁波に十分に接触させ、遮蔽層の干渉耐性を更に強化し、外部電磁波がケース１１０の内部の信号に干渉することを防止し、入力出力信号の安定性・信頼性を確保し、本考案の干渉耐性及び測定精度を更に向上させる。
【００２４】
経糸銀繊維１１３ａ及び緯糸銀繊維１１３ｂがいずれも波紋状となり、直線状の経糸銀繊維１１３ａ及び緯糸銀繊維１１３ｂに対して、波紋状構造によって銀繊維の表面積を増加させ、銀繊維を電磁波に十分に接触させ、遮蔽層の干渉耐性を更に強化し、外部電磁波がケース１１０の内部の信号に干渉することを防止し、入力出力信号の安定性・信頼性を確保し、本考案の干渉耐性及び測定精度を更に向上させる。
【００２５】
電磁波吸収層１１２の遮蔽層寄り片側の表面に複数の凹凸模様が平行に設置され、凹凸模様の作用はその上に投射した電磁波を凹凸模様の凹部で複数回反射させ、それにより吸収層の電磁波への吸収効率を向上させ、電磁波が吸収層の内部に入ることを防止し、吸収層の干渉耐性を更に強化し、外部電磁波がマウス本体の信号に干渉することを防止し、入力出力信号の安定性・信頼性を確保し、本考案の干渉耐性及び測定精度を更に向上させることである。吸収層内に電磁波を吸収するための複数種の複合粒子が充填され、環境において電磁波に複数種の波長がある、複数種の複合粒子を設置することで、異なる波長の電磁波を吸収し、電磁波がマウス本体の内部に入ることを防止し、外部電磁波がケース１１０の内部の信号に干渉することを防止し、入力出力信号の安定性・信頼性を確保し、本考案の干渉耐性及び測定精度を更に向上させる。
【００２６】
ケース１１０の側壁に放熱孔１８０が開設され、放熱孔１８０から内部電極１３０及び制御システム１６０、電池１７０が動作時に生じた熱を適時に排出し、それによりケース１１０の内部温度の上昇に起因して電気化学反応槽内の電解液及び電極１３０に干渉することを防止し、測定精度を更に向上させる。
【００２７】
電気化学反応槽内にアルカリ性電解液及びＮａｆｉｏｎ／ＺｎＯ／ＧＯ／ＧＣＥ電極１３０が設けられ、一般的に、炭水化物は遷移金属酸化物でアルカリ性条件においてより良い電気化学反応が生じるため、従ってＺｎＯ／ＧＯ／ＧＣＥ電極１３０はアルカリ性条件においてブドウ糖に触媒作用を及ぼして酸化反応を効率よく生じさせることができ、それにより血糖濃度の測定を実現し、その理由はＺｎＯ／ＧＯ／ＧＣＥ電極１３０がナノ酸化亜鉛（ＺｎＯ）及びグラフェン（ＧＯ）の二重の利点を結合するためであり、この２種の物質を含有するガラス状炭素電極１３０（ＧＣＥ）で血糖を測定する時に直接、迅速で他の物質に干渉されにくく、測定精度が高いと同時に、ＮａｆｉｏｎがＺｎＯ／ＧＯ複合材料に対して固定作用を果たし、それによりＺｎＯ／ＧＯ複合材料が電極１３０の表面から脱落することを防止し、このため、所定期間放置しても、血糖濃度を正確に測定でき、安定性が高く、測定精度が高い。
【００２８】
電池１７０から給電する場合、キー１５０で血糖測定器を起動し、サンプルをサンプル入口１２０からケース１１０の内部の電気化学反応槽に加え、電気化学反応槽の内部で、電解液が存在する条件において、電極１３０でサンプル内のブドウ糖に触媒作用を及ぼして酸化反応を生じさせ、制御システム１６０がブドウ糖酸化生成物の濃度を検出して、それを電気信号に変換して血糖濃度としてディスプレイ１４０に表示する。一方では、本考案における血糖測定原理は電極１３０でブドウ糖に触媒作用を及ぼして酸化反応を生じさせることであり、このような反応はサンプル内の他の物質に干渉されないため、測定精度が高い。他方では、ケース１１０は外部から内部まで順に保護層１１１、電磁波吸収層１１２、電磁波遮蔽層１１３及びプラスチック基層１１４を含み、外部電磁波がまず電磁波吸収層１１２に吸収され、吸収されていない部分が電磁波遮蔽層１１３に遮蔽され、電磁波がケース１１０の内部に入って、制御システム１６０の実行に干渉することを避け、測定精度を更に向上させる。
【００２９】
以上の前記実施例は本考案のいくつかの実施形態を説明し、その説明がより具体的で詳しいが、本考案の特許範囲を制限するためのものではない。ただし、当業者であれば、本考案の要旨を逸脱せずに、何らかの変更や改良を行うことができ、これらはいずれも本考案の保護範囲に属する。従って、本考案特許の保護範囲は請求の範囲に準じる。
【図１】
0003217246.tif 000003
【図２】
0003217246.tif 000004
【図３】
0003217246.tif 000005
【図４】
0003217246.tif 000006
【図５】
0003217246.tif 000007